(57)【特許請求の範囲】
【請求項１】
座部と、該座部後部で起倒可能に連結する背凭れ部と、左右一対の肘掛け部とからなる椅子本体適所に、空気給排装置による空気の給排気により押圧膨縮または押圧膨張保持する膨縮袋を内装したマッサージ機であって、
該膨縮袋を座部及び背凭れ部にそれぞれ左右幅方向に並設し、前記座部には、使用者の臀部の裏側を押圧する左右一対の膨縮袋を配設すると共に、前記背凭れ部には使用者の腰部を押圧する左右一対の膨縮袋を配設し、
前記肘掛け部の各側面に前記座部の左右両端から上方に立ち上がる壁部を設けて膨縮袋を配設しており、
前記各膨縮袋をそれぞれ独立して膨張収縮可能として、
背凭れ部の起立状態において、
前記座部、背凭れ部及び肘掛け部の左側の膨縮袋を同期膨縮させる、あるいは、
前記座部、背凭れ部及び肘掛け部の右側の膨縮袋を同期膨縮させるよう構成したことを特徴とするマッサージ機。
【請求項２】
前記座部、背凭れ部及び肘掛け部の左側の膨縮袋を同期膨縮させた後、あるいは前記座部、背凭れ部及び肘掛け部の右側の膨縮袋を同期膨縮させた後に、他方の膨縮袋も膨張させて各膨縮袋をすべて膨張状態とし、次いで膨張した側から収縮させるように構成したことを特徴とする請求項１記載のマッサージ機。
【請求項３】
前記座部には、使用者の大腿部及び臀部の裏側をそれぞれ押圧する左右一対の膨縮袋を配設し、前記肘掛け部の各側面には、前後に膨縮袋を配設したことを特徴とする請求項１又は請求項２記載のマッサージ機。
【請求項４】
前記座部または前記背凭れ部に設けた前記膨縮袋をそれぞれ左右一対からなるものとし、該左右一対からなる膨縮袋の中央にも前記膨縮袋を設けたことを特徴とする請求項１乃至請求項３のいずれか記載のマッサージ機。
【請求項５】
前記座部の前端に足載せ部を設け、該足載せ部において前記膨縮袋を前後一対に設けたことを特徴とする請求項１乃至請求項４のいずれか記載のマッサージ機。
【請求項６】
前記膨縮袋を前記座部の上方左右両側から膨縮させると共に座部の長さ方向に複数並設したことを特徴とする請求項１乃至請求項５のいずれか記載のマッサージ機。
【発明の詳細な説明】
【技術分野】
【０００１】
本発明は、空気給排装置により膨張及び収縮する膨縮袋を活用して、三次元的なストレッチまたはひねりを実施することができるマッサージ機に関するものである。
【背景技術】
【０００２】
従来、エアポンプ及びエア分配器を備えた空気給排装置による空気の給気及び排気（給排気）により膨張及び収縮（膨縮）を繰り返すエアーバック等の膨縮袋を複数並設したマッサージ機があり、中にはこれら膨縮袋の膨縮作用によって、使用者の身体に対して押圧マッサージを実施するだけでなく、ストレッチやひねり効果をもたらして筋肉の緊張緩和や精神的リラックスへ導くよう構成したものが存在している。
【０００３】
例えば、図２２で示すように、座部１１と、この座部１１の後ろに設けた背凭れ部１２と、座部１１の前に設けたオットマン２０と、座部１１の両側に設けたアームレスト部１４、１５と、各種の操作を行うリモートコントロール装置（リモコン）５０と、座部１１の下側に設けられた給排気装置１００とを有した椅子式のマッサージ装置１０が開示されている。
【０００４】
この背凭れ部１２には、左右に配置された肩用のエアバッグＡ１、Ａ２と背中用のエアバッグＡ３、Ａ４と腰上用のエアバッグＡ５、Ａ６と腰下用のエアバッグＡ７、Ａ８とが設けられている。
【０００５】
前記給排気装置１００は、エアを給気するためのポンプと、エアバッグＡ１〜Ａ１０を膨縮させるための電磁弁と、各電磁弁を制御する制御装置等とを備えている。制御装置はリモコン５０からの操作信号に基づいて各電磁弁とポンプ等を制御して各種のマッサージを行うようになっている。そして、各電磁弁が開成されると各エアバッグＡ１〜Ａ１０とポンプとが連通して各エアバッグＡ１〜Ａ１０が膨張し、各電磁弁が閉成されると各エアバッグＡ１〜Ａ１０が外気に連通されて各エアバッグＡ１〜Ａ１０は収縮していくようになっている。
【０００６】
このように構成したマッサージ装置１０は、背凭れ部１２において左右対称にそれぞれ複数配置されたエアバッグＡ１〜Ａ８のうち、対称位置にない左右の両エアバッグを膨縮させるように構成したものであるため、体をひねるようなストレッチの体感を得ることができるものとされている。
【０００７】
また、他の従来技術の例として図２３及び図２４に示すマッサージ椅子１があげられる。該マッサージ椅子１は座部２の左右部に、空気によって膨張収縮自在のエアーセル６，７を夫々配設すると共に、該エアーセル６，７に個別に空気を給排する給排気装置を接続した構成となっている。
【０００８】
前記左のエアーセル６に前記給排気装置から空気を圧送すると図２４に示す如く、該エアーセル６が膨張し、該エアーセル６の膨張によって利用者１０の右脚部１２及び右臀部を含む身体の右側全部が持ち上げられ、その作用により身体の左側部近傍が伸展し、次に、該給排気装置によって前記エアーセル６の空気を排出すると、利用者１０の右脚部１２は前記座部２に着座する。
【０００９】
そして、前記エアーセル７の膨張収縮及び前記エアーセル６の膨張収縮を順次繰り返すと、利用者１０の左右の脚部１１，１２は交互に上下動し、これによって利用者１０の脚部、臀部、腰部、及び、身体の左側部近傍並びに右側部近傍の筋肉を伸展収縮させ、ストレッチ運動を行うことができる。
【先行技術文献】
【特許文献】
【００１０】
【特許文献１】特開２００５−１５２３８４号公報（第７頁、図１）
【特許文献２】特開２００４−１３５８０７号公報（第７頁、図２及び図３）
【発明の概要】
【発明が解決しようとする課題】
【００１１】
ところで、上記従来の特許文献１に開示されるマッサージ機は背凭れ部において、また特許文献２に開示されるマッサージ機は座部において、それぞれ二次元的なストレッチまたはひねりをもたらす構成となっている。
【００１２】
すなわち、特許文献１のマッサージ機は、起立状態の背凭れ部における上下方向及び左右方向をそれぞれ軸としたストレッチまたはひねりを可能とする構成ではあるが、該背凭れ部における前後方向を軸とした同様のことが十分に行えず、また特許文献２のマッサージ機は、座部における前後方向及び左右方向をそれぞれ軸としたストレッチまたはひねりを可能とする構成ではあるものの、該座部における上下方向を軸とした同様のことを十分に実施することができない。
【００１３】
そのため、ストレッチまたはひねり効果が身体の施療部位において隈無く行き渡らない部分が生じたり、または二次元的で単調なストレッチまたはひねりのために、使用者に対する満足度は比較的限られたものとなったりすることなどが課題となり、これを克服すべく上下方向及び左右方向、また前後方向をそれぞれ軸とする三次元的なひねりを可能とし、従来になかった隈無く高密度なストレッチまたはひねり効果をもたらすこの種のマッサージ機の実現が期待されていた。
【００１４】
そこで、本発明は上記問題点を解消する為に成されたものであり、三次元的なストレッチまたはひねりを使用者の身体に行わせ、その効果が及ぶ身体施療部位における密度を高めたマッサージ機を提供する事を目的とするものである。
【課題を解決するための手段】
【００１５】
すなわち、本発明のマッサージ機は、座部と該座部後部で起倒可能に連結する背凭れ部とからなる椅子本体適所に、空気給排装置による空気の給排気により押圧膨縮または押圧膨張保持する膨縮袋を内装したマッサージ機であって、該膨縮袋を座部及び背凭れ部にそれぞれ左右幅方向において複数並設すると共に、座部と背凭れ部との間における椅子本体の長さ方向においてそれぞれ相隣する座部の膨縮袋と背凭れ部の膨縮袋とを同期膨縮する同期膨縮袋列群を構成し、背凭れ部の起立状態において各同期膨縮袋列群を左右幅方向において順次膨縮するようにしたものとしている。
【００１６】
また、本発明のマッサージ機は、前記背凭れ部の前記膨縮袋を背凭れ部の長さ方向に複数並設すると共に、同方向においてそれぞれ相隣する各膨縮袋を同期膨縮するように構成したものとしている。
【００１７】
さらに、本発明のマッサージ機は、前記座部に設けた前記膨縮袋を座部の長さ方向に複数並設したものとしている。
【００１８】
また、本発明のマッサージ機は、前記座部または前記背凭れ部に設けた前記膨縮袋をそれぞれ左右一対からなるものとし、該左右一対からなる膨縮袋の中央にも前記膨縮袋を設けたものとしている。
【００１９】
さらに、本発明のマッサージ機は、前記座部の前端に足載せ部を設け、該足載せ部において前記膨縮袋を前後一対に設けたものとしている。
【００２０】
さらにまた、本発明のマッサージ機は、前記膨縮袋を前記座部の上方左右両側から膨縮させると共に座部の長さ方向に複数並設したものとしている。
【発明の効果】
【００２１】
よって、本発明のマッサージ機は、前記膨縮袋を座部及び背凭れ部にそれぞれ左右幅方向において複数並設すると共に、座部と背凭れ部との間における椅子本体の長さ方向においてそれぞれ相隣する座部の膨縮袋と背凭れ部の膨縮袋とを同期膨縮する同期膨縮袋列群を構成し、背凭れ部の起立状態において各同期膨縮袋列群を左右幅方向において順次膨縮するようにしたため、二方向のみを軸としてストレッチやひねりを行う二次元的で単調なストレッチしか実施できなかった従来のマッサージ機とは異なり、上下方向と左右方向及び前後方向の三方向を軸とする三次元的で複雑なストレッチやひねりが可能となり、従来よりも隈無く高密度にストレッチやひねり効果がもたらされ、使用者の満足度を大幅に高めることができる。またこのような高密度的なストレッチやひねりは、血管やリンパ管等の流れを良好にする他、脂肪燃焼効果をもたらし使用者の健康に寄与し得る。
【００２２】
また、本発明のマッサージ機は、前記背凭れ部の前記膨縮袋を背凭れ部の長さ方向に複数並設すると共に、同方向においてそれぞれ相隣する各膨縮袋を同期膨縮するように構成したため、使用者の上半身において全体的にストレッチやひねり効果を及ぼすことができる。
【００２３】
さらに、本発明のマッサージ機は、前記座部に設けた前記膨縮袋を座部の長さ方向に複数並設したものとしているため、使用者の臀部から脚部にかかる広範なストレッチやひねりが可能となる。
【００２４】
また、本発明のマッサージ機は、前記座部または前記背凭れ部に設けた前記膨縮袋をそれぞれ左右一対からなるものとし、該左右一対からなる膨縮袋の中央にも前記膨縮袋を設けたものとしているため、座部または背凭れ部におけるスムーズなストレッチやひねりが可能となるし、またはストレッチやひねりの度合いを使用者の好みに合わせて調節できる。
【００２５】
さらに、本発明のマッサージ機は、前記座部の前端に足載せ部を設け、該足載せ部において前記膨縮袋を前後一対に設けたものとしているため、使用者の脛部におけるストレッチが可能となる。
【００２６】
さらにまた、本発明のマッサージ機は、前記膨縮袋を前記座部の上方左右両側から膨縮させると共に座部の長さ方向に複数並設したものとしているため、特に使用者の脚部や臀部の側部におけるストレッチやひねりが可能となる。
【図面の簡単な説明】
【００２７】
【図１】本発明のマッサージ機の一実施形態を示す斜視図である。
【図２】本発明のマッサージ機の一実施形態を示す使用状態図である。
【図３】本発明のマッサージ機に設けた膨縮袋の膨縮態様の一実施形態を示す斜視図である。
【図４】本発明のマッサージ機に設けた膨縮袋の膨縮態様の一実施形態を示す斜視図である。
【図５】本発明のマッサージ機に設けた膨縮袋の膨縮態様の一実施形態を示す斜視図である。
【図６】本発明のマッサージ機に設けた膨縮袋の膨縮態様の一実施形態を示す斜視図である。
【図７】本発明のマッサージ機における背凭れ部を座部に対し折り畳んだ状態の一実施形態を示す右側面図である。
【図８】本発明のマッサージ機における背凭れ部の起倒及び足載せ部の出没態様の一実施形態を示す右側面図である。
【図９】本発明のマッサージ機における座部及び背凭れ部にそれぞれ設けた膨縮袋の膨縮態様に関する一実施形態を示す右側面図である。
【図１０】本発明のマッサージ機における座部に設けた膨縮袋の膨縮態様に関する一実施形態を示す説明図である。
【図１１】本発明のマッサージ機における座部に設けた膨縮袋の膨縮態様に関する一実施形態を示す説明図である。
【図１２】本発明のマッサージ機における背凭れ部に設けた膨縮袋の一実施形態を示す説明図である。
【図１３】本発明のマッサージ機における背凭れ部に設けた膨縮袋の膨縮態様に関する一実施形態を示す説明図である。
【図１４】本発明のマッサージ機における背凭れ部に設けた膨縮袋の膨縮態様に関する一実施形態を示す説明図である。
【図１５】本発明のマッサージ機における背凭れ部に設けた膨縮袋の膨縮態様に関する一実施形態を示す説明図である。
【図１６】本発明のマッサージ機における背凭れ部に設けた膨縮袋の膨縮態様に関する一実施形態を示す説明図である。
【図１７】本発明のマッサージ機における背凭れ部に設けた膨縮袋の膨縮態様に関する一実施形態を示す説明図である。
【図１８】本発明のマッサージ機における椅子本体全域に設けた膨縮袋の膨縮態様に関する平面説明図である。
【図１９】本発明のマッサージ機における椅子本体全域に設けた膨縮袋の膨縮態様に関する平面説明図である。
【図２０】本発明のマッサージ機における椅子本体全域に設けた膨縮袋の膨縮態様に関する平面説明図である。
【図２１】本発明のマッサージ機における座部表面及び座部の上方左右両側にそれぞれ設けた膨縮袋の膨縮態様に関する一実施形態を示す説明図である。
【図２２】従来技術を示す参考図である。
【図２３】従来技術を示す参考図である。
【図２４】従来技術を示す参考図である。
【発明を実施するための形態】
【００２８】
以下に、本発明のマッサージ機を、図面に示す一実施形態に基づきこれを詳細に説明する。
図１は本発明のマッサージ機の一実施形態を示す斜視図であり、図２は本発明のマッサージ機の一実施形態を示す使用状態図であり、図３乃至図６は本発明のマッサージ機に設けた膨縮袋の膨縮態様の一実施形態を示す斜視図であり、図７は本発明のマッサージ機における背凭れ部を座部に対し折り畳んだ状態の一実施形態を示す右側面図であり、図８は本発明のマッサージ機における背凭れ部の起倒及び足載せ部の出没態様の一実施形態を示す右側面図であり、図９は本発明のマッサージ機における座部及び背凭れ部にそれぞれ設けた膨縮袋の膨縮態様に関する一実施形態を示す右側面図であり、図１０及び図１１は本発明のマッサージ機における座部に設けた膨縮袋の膨縮態様に関する一実施形態を示す説明図であり、図１２は本発明のマッサージ機における背凭れ部に設けた膨縮袋の一実施形態を示す説明図であり、図１３乃至図１７は本発明のマッサージ機における背凭れ部に設けた膨縮袋の膨縮態様に関する一実施形態を示す説明図であり、図１８乃至図２０は本発明のマッサージ機における椅子本体全域に設けた膨縮袋の膨縮態様に関する平面説明図であり、図２１は本発明のマッサージ機における座部表面及び座部の上方左右両側にそれぞれ設けた膨縮袋の膨縮態様に関する一実施形態を示す説明図である。図２２乃至図２４は従来技術を示す参考図である。
【００２９】
すなわち、本発明のマッサージ機１ａは、図１及び図２の実施形態で示したように、使用者の臀部や大腿部が当接する座部１１ａと、該座部１１ａの後部に位置する使用者の背部や腰部が当接する背凭れ部１２ａとを椅子本体１０ａに設けたものである。
【００３０】
前記背凭れ部１２ａは、前後方向に起倒（リクライニング）可能になっており、また前記座部１１ａの前端には、使用者の脛部を主に載置可能な足載せ部１３ａを前後方向に回動可能に連結している。
【００３１】
これら前記座部１１ａ及び前記背凭れ部１２ａ、また前記足載せ部１３ａは、中空箱状の筐体フレームにスポンジゴム等のクッションを保持させて、その全体をカバーで覆った構成としている。
【００３２】
また、前記座部１１ａの下部には、左右幅方向に直線状に延びる支持パイプ１０１ａを横設しており、該支持パイプ１０１ａの中央下部には、床面に直接して椅子本体１０ａの全体を土台として支持する円形のベース１０２ａが底設されている。
【００３３】
さらに、前記支持パイプ１０１ａの左右両端上部において、使用者の手部及び腕部を載置する左右一対の肘掛け部１４ａ・１４ａを立設させている。該左右一対の肘掛け部１４ａ・１４ａの後端にそれぞれ設けた支軸１４１ａ・１４１ａに前記背凭れ部１２ａが前後方向に回動可能に軸支された構成となっている。該背凭れ部１２ａは該支軸１４１ａを支点として起立状態から後方への倒伏状態までの前後方向における起倒回動が可能であると共に、傾斜角度を調節することができるようにしている。
【００３４】
加えて、図７に示すように前記背凭れ部１２ａを前方へ傾動させて前記座部１１ａと重合させるような態様で、二つ折り状態にすることも可能である。尚、この場合は背凭れ部１２ａの下端で座部１１ａを回動可能に連結させた部分の該連結を解除する。
【００３５】
前記座部１１ａは、図８に示すように前記支持パイプ１０１ａの中央から前方へ延設するスライド機構１５ａにより前後方向に移動可能となっている。該スライド機構１５ａは、図示しないが進退棒及び該進退棒をスライド可能に嵌合挿入する嵌合パイプとから構成してもよい。
【００３６】
よって、前記背凭れ部１２ａを起立状態から後方へ倒伏させる場合、前記支軸１４１ａよりも背凭れ部１２ａにおける上部分は後方へ傾倒すると共に、前記支軸１４１ａよりも背凭れ部１２ａにおける下部分は前方へ突出することになり、これに伴って前記座部１１ａは前記足載せ部１３ａと共に前記スライド機構１５ａによって前方へスライドすることになる。
【００３７】
尚、図示しないが前記背凭れ部１２ａの起倒機構（図示せず）や前記座部１１ａの前記スライド機構１５ａ、また前記足載せ部１３ａの回動機構（図示せず）に、それぞれ適宜において油圧シリンダや電動アクチュエータを採用できる。
【００３８】
図１に示すように、本発明のマッサージ機１ａは、前記椅子本体１０ａの適所において、空気給排装置３ａによる空気の給排気により押圧膨縮または押圧膨張保持する膨縮袋２ａを内装して構成している。
【００３９】
前記空気給排装置３ａは、図示しないが圧縮空気を発生させるエアポンプと、該圧縮空気を各エアホースに分配する複数の電磁弁からなる分配器と、該分配器の内部機構を電子回路により制御する電子制御回路とから主に構成される。尚、図１に示すように該空気給排装置３ａは前記座部１１ａの下部に配設する前記ベース１０２ａに内装している。
【００４０】
また、前記膨縮袋２ａは、軟質樹脂やナイロンのシートによる溶着成形、または同材質のブロー成形等で製造され、前記空気給排装置３ａの空気の給排気による継続的な膨縮に耐え得るものである。
【００４１】
図１に示すように本発明のマッサージ機１ａは、前記膨縮袋２ａを前記座部１１ａ及び前記背凭れ部１２ａにそれぞれ左右幅方向において複数並設させた構成のものであり、これらの各膨縮袋２ａ毎にそれぞれ独立して連通する前記電磁弁を設けているので、多様な押圧形態が可能となる。
【００４２】
また、本発明のマッサージ機１ａは、図１８に示すように前記座部１１ａと前記背凭れ部１２ａとの間における前記椅子本体１０ａの長さ方向においてそれぞれ相隣する座部１１ａの膨縮袋２ａと背凭れ部１２ａの膨縮袋２ａとを同期膨縮する同期膨縮袋列群２０ａを設けたものとしている。
【００４３】
この図１８で示す構成の場合、前記同期膨縮袋列群２０ａは前記座部１１ａ及び前記背凭れ部１２ａの左右幅方向において、左側列群、中央列群、右側列群の３列群に分設したものとしており、各同期膨縮袋列群２０ａ毎に相隣する前記各膨縮袋２ａが同期膨縮するようにしている。尚、この図面では左側列群の同期膨縮袋列群２０ａが膨張した状態を示している。
【００４４】
さらに、本発明のマッサージ機１ａは、前記背凭れ部１２ａの起立状態において前記各同期膨縮袋列群２０ａを左右幅方向において順次膨縮するようにしたものとして構成している。
【００４５】
すなわち、前記各同期膨縮袋列群２０ａ・２０ａ・２０ａである前記の左側列群、中央列群、右側列群において、例えば図１及び図１２に示す前記各膨縮袋２ａが全て収縮した状態から、図３及び図１３に示すように、まず左側列群のみを膨張させ、次いで図４及び図１４に示すように中央列群を膨張させる。その後、右側列群を膨張させると図５及び図１５に示すように、各膨縮袋２ａが全て膨張状態となる。
【００４６】
次に、図１６に示すように、前記同期膨縮袋列群２０ａのうち、前記左側列群のみを収縮させ、次いで図１７に示すように前記中央列群を収縮し、その後前記右側列群を収縮させると図１及び図１２に示すように、各膨縮袋２ａが全て収縮状態となる。また、再度前記左側列群を膨張させるようにして、前述した各同期膨縮袋列群の順次膨縮を一定間隔毎に繰り返す。
【００４７】
尚、前記各同期膨縮袋列群２０ａ・２０ａ・２０ａの順次膨縮について、図１２乃至図１７で前記背凭れ部１２ａにおけるものを示したが、図１１に示す前記座部１１ａにおいても同様の膨縮態様となる。
【００４８】
このような前記座部１１ａ及び起立状態の前記背凭れ部１２ａにおける前記同期膨縮袋列群２０ａの順次膨縮により、特に着座した使用者の臀部から腰部にかかる部位に対して、三次元的なストレッチやひねりを生じさせることが可能となる。
【００４９】
すなわち、図９に示すように、前記座部１１ａ及び前記背凭れ部１２ａにおける前記各膨縮袋２ａの相互膨張動作により、左右方向（前記椅子本体１０ａの幅方向）の軸である左右軸Ａ１を軸としたストレッチやひねりを生じさせるものとなり、また図１３に示す場合は、背凭れ部１２ａにおいて上下方向（前記椅子本体１０ａの高さ方向）の軸である上下軸Ａ２を軸としたストレッチやひねりを生じさせ、さらに図１０に示す場合は、座部１１ａにおいて前後方向（前記椅子本体１０ａの長さ方向）の軸である前後軸Ａ３を軸としたひねりを生じさせるものとなるため、本発明のマッサージ機１ａは、これら左右軸Ａ１、上下軸Ａ２、前後軸Ａ３の各軸におけるストレッチやひねりを同時に実施して、三次元的で複雑なストレッチまたはひねり効果をもたらす独特な構成のものとなっている。
【００５０】
尚、前記左右軸Ａ１を軸としたひねりは、前記座部１１ａに対する前記背凭れ部１２ａの起倒動作によっても生じさせることができる。
【００５１】
また、本発明のマッサージ機１ａは、図１８に示すように前記背凭れ部１０ａの前記各膨縮袋２ａを背凭れ部１２ａの長さ方向に複数並設すると共に、同方向においてそれぞれ相隣する各膨縮袋２ａを同期膨縮するように構成したため、着座した使用者の上半身において全体的にストレッチやひねり効果を及ぼすことができる。
【００５２】
さらに、本発明のマッサージ機１ａは、前記座部１１ａにおいて該座部１１ａに設けた前記膨縮袋２ａを座部１１ａの長さ方向に複数並設したものとしているため、使用者の臀部から脚部にかかる広範なストレッチやひねりが可能となる。
【００５３】
例えば、図１に示す構成の場合のように、前記座部１１ａに左右幅方向において複数並設した前記各膨縮袋２ａ・２ａ・２ａの前側に、同左右幅方向に長く形成したもう一つの前記膨縮袋２ａを設けることができるし、或いは図１８に示す構成の場合のように、座部１１ａに左右幅方向において複数並設した前記各膨縮袋２ａ・２ａ・２ａの前側に、同左右幅方向に分割した形態の前記膨縮袋２ａを設けることができる。
【００５４】
また、本発明のマッサージ機１ａは、図１及び図１８に示すように前記座部１１ａまたは前記背凭れ部１２ａに設けた前記膨縮袋２ａをそれぞれ左右一対からなるものとし、該左右一対からなる膨縮袋２ａの中央にも前記膨縮袋２ａを設けたものとして構成している。
【００５５】
すなわち、前記背凭れ部１２ａの上下に設けた前記各左右一対の膨縮袋２ａ・２ａのそれぞれの中央に跨って、上下に長く形成した前記膨縮袋２ａを設けている。
【００５６】
一方、前記座部１１ａの前記各左右一対の膨縮袋２ａ・２ａの中央にも、前後に長く形成した前記膨縮袋２ａを設けている。
【００５７】
これらの前記座部１１ａ及び前記背凭れ部１２ａにそれぞれ配設した左右、また中央の前記各膨縮袋２ａは、前記各同期膨縮袋列群２０ａ・２０ａ・２０ａにそれぞれ属しており、前述した各同期膨縮袋列群２０ａ・２０ａ・２０ａにおける順次膨縮をスムーズに行うことが可能となる。
【００５８】
また、これらの前記座部１１ａ及び前記背凭れ部１２ａにそれぞれ配設した中央の前記各膨縮袋２ａは、左右にそれぞれ配設する前記左右一対の膨縮袋２ａ・２ａとは独立して膨縮させているため、該中央の前記各膨縮袋２ａの膨張度合いを調節して、左右一対の膨縮袋２ａ・２ａによるストレッチやひねりの度合いを使用者の好みに合わせられるよう構成してもよい。
【００５９】
さらに、本発明のマッサージ機１ａは、図１及び図６、また図１８に示すように前記座部１１ａの前端に足載せ部１３ａを設け、該足載せ部１３ａにおいて前記膨縮袋２ａを前後一対に設けたものとしている。
【００６０】
この前記足載せ部１３ａにおける前記前後一対の各膨縮袋２ａは、その表面側において足載せ部１３ａの左右幅方向に長く形成する突起部材２２ａをそれぞれ配設している。よって、これら各膨縮袋２ａが膨張すると、該各突起部材２２ａはそれぞれ足載せ部１３ａの表面側へ移動し、該足載せ部１３ａに載置する使用者の両脚部（主に脛部）の裏側を押圧することになり、指圧マッサージが実施できる。
【００６１】
また、前記足載せ部１３ａに設けた前記前後一対の各膨縮袋２ａを交互に且つ一定時間において膨張を繰り返すことにより、使用者の両脚部に対するストレッチが可能となる。
【００６２】
尚、この前記足載せ部１３ａの前記突起部材２２ａは、不使用時において足載せ部１３ａの表面から突出しないように足載せ部１３ａに内設している。
【００６３】
さらに、図１８乃至図２０に示すように本発明のマッサージ機１ａは、前記膨縮袋２ａを前記座部１１ａの上方左右両側から膨縮させると共に座部１１ａの長さ方向に複数並設したものとしている。
【００６４】
すなわち、この前記座部１１ａの上方左右両側から膨張する前記各膨縮袋２ａを前記左右一対の肘掛け部１４ａ・１４ａの各側面に配設している。尚、他にも図示しないが座部１１ａの左右両端から上方に立ち上がる壁部内面に設けてもよい。
【００６５】
よって、図１９に示すように一定時間において前記座部１１ａの左側上方側面または肘掛け部１４ａの左側側面に設けた前後の各前記膨縮袋２ａ・２ａを膨張させて、使用者の脚部や臀部の側部におけるストレッチやひねり効果をもたらすことが可能となる。
【００６６】
さらに図１８で示す本発明のマッサージ機１ａは、前記椅子本体１０ａの前記座部１１ａ、前記背凭れ部１２ａ、前記足載せ部１３ａ、前記左右一対の肘掛け部１４ａ・１４ａにおいて前記同期膨縮袋列群２０ａを５列として構成したものとしている。
【００６７】
すなわち、前記左側の肘掛け部１４ａの側面または前記座部１１ａの左側上方において、前後に配設した前記各膨縮袋２ａ・２ａ（大腿部及び臀部の側面をそれぞれ押圧する）からなる列群を１列目とすると共に、前記背凭れ部１２ａの左側の各膨縮袋２ａ・２ａ・２ａ（頭部または頸部、背部、腰部をそれぞれ押圧する）と前記座部１１ａの左側の各膨縮袋２ａ・２ａ（大腿部及び臀部の裏面をそれぞれ押圧する）、及び前記足載せ部１３ａの左側の各膨縮袋２ａ・２ａ（脛部及び足首部の裏面をそれぞれ押圧する）からなる列群を２列目とし、また、前記背凭れ部１２ａの中央の膨縮袋２ａ（脊髄を押圧する）と前記座部１１ａの中央の膨縮袋２ａ（臀部中央裏面を押圧する）とからなる列群を３列目とする。
【００６８】
さらに、前記背凭れ部１２ａの右側の前記各膨縮袋２ａ・２ａ・２ａ（頭部または頸部、背部、腰部をそれぞれ押圧する）と前記座部１１ａの右側の各膨縮袋２ａ・２ａ（大腿部及び臀部の裏面をそれぞれ押圧する）、及び前記足載せ部１３ａの右側の各膨縮袋２ａ・２ａ（脛部及び足首部の裏面をそれぞれ押圧する）からなる列群を４列目とすると共に、前記右側の肘掛け部１４ａの側面または前記座部１１ａの右側上方において、前後に配設した前記各膨縮袋２ａ・２ａ（大腿部及び臀部の側面をそれぞれ押圧する）からなる列群を５列目とする。
【００６９】
このように、５列からなる前記同期膨縮袋列群２０ａ・２０ａ・２０ａ・２０ａ・２０ａを前述したような態様で各列群毎に左右幅方向において順次膨縮させると、一挙に使用者の全身に対してストレッチまたはひねりを実施することができ、特に前記背凭れ部１２ａを起立状態にして前記各同期膨縮袋列群２０ａを順次膨縮させる場合は、前記左右軸Ａ１、前記上下軸Ａ２、前記前後軸Ａ３の三つ全てを軸とした三次元的なストレッチまたはひねりを使用者の背部から臀部または脚部にかけて実施することができるのである。
【００７０】
また、図２０で示す構成は、前記各同期膨縮袋列群２０ａを前記座部１１ａ及び前記背凭れ部１２ａ、また前記足載せ部１３ａと前記肘掛け部１４ａのそれぞれに分割したものとし、さらに該各同期膨縮袋列群２０ａの順次膨縮を座部１１ａ、背凭れ部１２ａ、足載せ部１３ａ毎にそれぞれ実施させたものである。
【００７１】
例えば図２０に示すように、前記背凭れ部１２ａに構成した３列からなる前記同期膨縮袋列群２０ａ・２０ａ・２０ａを右側から左側へ順次膨縮させると同時に、前記座部１１ａに構成した同じく３列からなる前記同期膨縮袋列群２０ａ・２０ａ・２０ａを左側から右側へ順次膨縮させると共に、さらに同時に前記足載せ部１３ａに構成した２列からなる前記同期膨縮袋列群２０ａ・２０ａを右側から左側へ順次膨縮させることができる。
【００７２】
尚、前記座部１１ａにおける前記同期膨縮袋列群２０ａ・２０ａ・２０ａの順次膨縮に、前記左右の肘掛け部１４ａ・１４ａに構成した同期膨縮袋列群２０ａ・２０ａの膨縮を含ませることができ、例えば左側の肘掛け部１４ａの同期膨縮袋列群２０ａ、座部１１ａ左側の同期膨縮袋列群２０ａ、座部１１ａ中央の同期膨縮袋列群２０ａ、座部１１ａ右側の同期膨縮袋列群２０ａ、右側の肘掛け部１４ａの同期膨縮袋列群２０ａという順序で膨縮させたり、または左側の肘掛け部１４ａの同期膨縮袋列群２０ａと座部１１ａ左側の同期膨縮袋列群２０ａとを、及び右側の肘掛け部１４ａの同期膨縮袋列群２０ａと座部１１ａ右側の同期膨縮袋列群２０ａとを同期膨縮させてもよい。
【００７３】
図２１に示すのは、使用者の臀部を効率的に上方へ持ち上げてストレッチさせる構成を示している。すなわち、前記座部１１ａの表面において前記左右一対の膨縮袋２ａ・２ａを設けると共に、各膨縮袋２ａは座部１１ａの中央側にそれぞれ止着部２１ａにて止着したものとしている。
【００７４】
また、前記座部１１ａの上方左右両側、または前記左右一対の肘掛け部１４ａ・１４ａの側面にもそれぞれ前記膨縮袋２ａを設けており、該各膨縮袋２ａはその上側に設けた止着部２１ａで止着している。
【００７５】
よって図２１に示すように、例えば前記座部１１ａ表面右側の前記膨縮袋２ａは、右側から中央上方へ向かう方向で膨張して使用者の右側臀部を上方へ押し上げる際、座部１１ａの上方右側または右側の前記肘掛け部１４ａの側面に設けた前記膨縮袋２ａも右側から中央上方へ向かう方向で膨張して、前記座部１１ａにおいて使用者の上半身の重量のほとんどがかかる臀部の持ち上げを補助することができるのである。
【００７６】
これまで説明してきた本発明のマッサージ機１ａに適用する前記各膨縮袋２ａは、膨張幅や膨張方向に応じて適宜重合させてもよい。尚、図１で示した実施形態は、前記背凭れ部１２ａの最下位に設けた前記左右一対の膨縮袋２ａ・２ａ及び前記座部１１ａの最後位に設けた前記左右一対の膨縮袋２ａ・２ａをそれぞれ重合状したものとしている。
【符号の説明】
【００７７】
１ａ  マッサージ機
１０ａ  椅子本体
１０１ａ  支持パイプ
１０２ａ  ベース
１１ａ  座部
１２ａ  背凭れ部
１３ａ  足載せ部
１４ａ  肘掛け部
１４１ａ  支軸
１５ａ  スライド機構
２ａ  膨縮袋
２０ａ  同期膨縮袋列群
２１ａ  止着部
２２ａ  突起部材
３ａ  空気給排装置
Ａ１  左右軸
Ａ２  上下軸
Ａ３  前後軸
【図１】
0005335053.tif 000002
【図２】
0005335053.tif 000003
【図３】
0005335053.tif 000004
【図４】
0005335053.tif 000005
【図５】
0005335053.tif 000006
【図６】
0005335053.tif 000007
【図７】
0005335053.tif 000008
【図８】
0005335053.tif 000009
【図９】
0005335053.tif 000010
【図１０】
0005335053.tif 000011
【図１１】
0005335053.tif 000012
【図１２】
0005335053.tif 000013
【図１３】
0005335053.tif 000014
【図１４】
0005335053.tif 000015
【図１５】
0005335053.tif 000016
【図１６】
0005335053.tif 000017
【図１７】
0005335053.tif 000018
【図１８】
0005335053.tif 000019
【図１９】
0005335053.tif 000020
【図２０】
0005335053.tif 000021
【図２１】
0005335053.tif 000022
【図２２】
0005335053.tif 000023
【図２３】
0005335053.tif 000024
【図２４】
0005335053.tif 000025